(57)【要約】【課題】特に強度及び使用上の利便性を高めた、ソケットを収納するためのホルダーを提供する。【解決手段】アルミから押して出してなるプレートを備えるレールボードと、該プレートの上面に設けられる掛止レールと、該プレートの底面に凹設されると共に、内部に幅Ａの保持溝が形成され、底部に該保持溝と連通するように幅Ｂの保持開口が形成され、該保持溝の幅Ａが該保持開口の幅Ｂより広い支持レールと、それぞれ移動自在に該保持溝の両側に嵌め込まれる複数のブロックと、該プレートの両側の底面にそれぞれ取り付けられると共に、上面における該ブロックに螺合されるボルトを含む一対の支持脚とを備え、着脱可能に前記レールボードに取り付けられる支持ボードと、を有するソケットホルダーを提供する。【選択図】図２
2015024450.tif 000002
【特許請求の範囲】
【請求項１】
少なくとも１枚の矩形のプレートを備え、アルミを押し出してなり、長形を呈するレールボードと、
長さが前記プレートの長さと一致するように、該プレートの上面に間隔をおいて設けられる少なくとも２本の掛止レールと、
長さが前記プレートの長さと一致するように、該プレートの底面に間隔をおいて凹設されると共に、内部の対向する両側に幅Ａの保持溝が形成され、底部に該保持溝と連通するように幅Ｂの保持開口が形成され、該保持溝の幅Ａが該保持開口の幅Ｂより広い、少なくとも２本の支持レールと、
少なくとも一対がそれぞれ移動自在に前記支持レールの保持溝の両側に嵌め込まれ、中心に保持開口と連通するねじ孔が形成される複数のブロックと、
前記プレートの両側の底面にそれぞれ取り付けられると共に、上面における該ブロックのねじ孔と対応する箇所に形成される位置決め孔と、該位置決め孔を通ってブロックのねじ孔に螺合されるボルトとを含む一対の支持脚とを備え、着脱可能に前記レールボードに取り付けられる支持ボードと、を有し、
その内、前記一対の支持脚は、プレートの相対する両側に結合されると共に、底面に位置決め孔と連通する位置決め溝部が凹設される方形の左側支持脚及び右側支持脚であり、また、該左側支持脚は、上部外側に延設されると共に、上面がプレートの底面と接触する左側延出部と、掛止レール及び支持レールの一端をカバーするように、該左側延出部の外側上方に延設される左側カバー部とを備え、該右側支持脚は、上部外側に延設されると共に、上面がプレートの底面と接触する右側延出部と、前記掛止レール及び支持レールの他端をカバーするように、該右側延出部の外側上方に延設される右側カバー部とを備えることを特徴とするソケットホルダー。
【請求項２】
前記レールボードは、２枚のプレートからなり、該各プレートの内側にそれぞれ、互いに重なるように組み合わされる翼部が延出され、
また、前記各プレートの上面に少なくとも１本の掛止レールが設けられ、該掛止レールは、中空であり、相対する両側にそれぞれ長手方向に沿って摺動凹部が凹設され、
前記各プレートの底面に少なくとも１本の支持レールが凹設され、該支持レールは、プレートの底面に凹設され、かつ掛止レールの内部に形成されることを特徴とする請求項１に記載のソケットホルダー。
【請求項３】
前記レールボードは、２枚のプレートからなり、該各プレートの内側にそれぞれ、互いに重なるように組み合わされる翼部が延出され、
また、前記各プレートの上面に少なくとも１本の掛止レールが凹設され、該掛止レールは、底面に幅Ｃの摺動凹部が形成され、上面に幅Ｄの摺動開口が形成され、該掛止レールの摺動凹部の幅Ｃは、該摺動開口の幅Ｄより広く、
前記各プレートの底面に少なくとも１本の支持レールが凹設されることを特徴とする請求項１または２に記載のソケットホルダー。
【発明の詳細な説明】
【技術分野】
【０００１】
本発明は、特に強度及び使用上の利便性に優れた、ソケットを収納するためのホルダーに関するものである。
【背景技術】
【０００２】
従来のソケットホルダーは、ボードと、取っ手と、複数の掛止ブロックとを有し、その内、ボードは、アルミを押し出してなり、上面に複数のレールが間隔をおいて設けられ、取っ手は、ボードの周囲に取り付けられ、それらの掛止ブロックはそれぞれ、摺動可能にレールに設置される。また、使用する時は、ソケットを掛止ブロックに掛止させれば、ソケットを収納したり展示したりすることができる。
【先行技術文献】
【特許文献】
【０００３】
【特許文献１】：台湾特許第I３９５６４６号
【特許文献２】：台湾特許第I３９５６４７号
【発明の概要】
【発明が解決しようとする課題】
【０００４】
しかしながら、従来のソケットホルダーは、複数のソケットを収納することはできるが、取っ手がボードから突出するように取り付けられることから、どうしてもホルダーのサイズが大きくなってしまうので、収納または使用に非常に不便であり、また、従来のソケットホルダーに幾つかのソケット或いは重い工具を掛止すると、そのボードにおける強度の不足により壊れる虞があった。
【課題を解決するための手段】
【０００５】
本発明に係るソケットホルダーは、少なくとも１枚の矩形のプレートを備え、アルミを押し出してなり、長形を呈するレールボードと、
長さが前記プレートの長さと一致するように、該プレートの上面に間隔をおいて設けられる少なくとも２本の掛止レールと、
長さが前記プレートの長さと一致するように、該プレートの底面に間隔をおいて凹設されると共に、内部の対向する両側に幅Ａの保持溝が形成され、底部に該保持溝と連通するように幅Ｂの保持開口が形成され、該保持溝の幅Ａが該保持開口の幅Ｂより広い、少なくとも２本の支持レールと、
少なくとも一対がそれぞれ移動自在に前記支持レールの保持溝の両側に嵌め込まれ、中心に保持開口と連通するねじ孔が形成される複数のブロックと、
前記プレートの両側の底面にそれぞれ取り付けられると共に、上面における該ブロックのねじ孔と対応する箇所に形成される位置決め孔と、該位置決め孔を通ってブロックのねじ孔に螺合されるボルトとを含む一対の支持脚とを備え、着脱可能に前記レールボードに取り付けられる支持ボードと、を有し、
その内、前記一対の支持脚は、プレートの相対する両側に結合されると共に、底面に位置決め孔と連通する位置決め溝部が凹設される方形の左側支持脚及び右側支持脚であり、また、該左側支持脚は、上部外側に延設されると共に、上面がプレートの底面と接触する左側延出部と、掛止レール及び支持レールの一端をカバーするように、該左側延出部の外側上方に延設される左側カバー部とを備え、該右側支持脚は、上部外側に延設されると共に、上面がプレートの底面と接触する右側延出部と、前記掛止レール及び支持レールの他端をカバーするように、該右側延出部の外側上方に延設される右側カバー部とを備えるするものである。
【０００６】
かかるソケットホルダーにおいて、前記レールボードは、２枚のプレートからなり、該各プレートの内側にそれぞれ、互いに重なるように組み合わされる翼部が延出され、
また、前記各プレートの上面に少なくとも１本の掛止レールが設けられ、該掛止レールは、中空であり、相対する両側にそれぞれ長手方向に沿って摺動凹部が凹設され、
前記各プレートの底面に少なくとも１本の支持レールが凹設され、該支持レールは、プレートの底面に凹設され、かつ掛止レールの内部に形成されることが好ましい。
【０００７】
かかるソケットホルダーにおいて、前記レールボードは、２枚のプレートからなり、該各プレートの内側にそれぞれ、互いに重なるように組み合わされる翼部が延出され、
また、前記各プレートの上面に少なくとも１本の掛止レールが凹設され、該掛止レールは、底面に幅Ｃの摺動凹部が形成され、上面に幅Ｄの摺動開口が形成され、該掛止レールの摺動凹部の幅Ｃは、該摺動開口の幅Ｄより広く、
前記各プレートの底面に少なくとも１本の支持レールが凹設されることが好ましい。
【発明の効果】
【０００８】
上述したように、本発明に係るソケットホルダーは、以下に示すような利点を有する。
１．左側支持脚及び右側支持脚がプレートの底面に取り付けられることから、プレートがやや上がり底面における左側支持脚と右側支持脚との間にスペースが形成されるので、使用者の指を前後方向或いは左右方向からスペースに入れてソケットホルダーを簡単に持ち上げることができる。
２．プレートに少なくとも２つの支持脚が取り付けられることから、レールボードの強度が高まるので、ホルダーに複数のソケットや重い工具を掛止することができる。
３．本発明に係るソケットホルダーを使用する時、指を左側支持脚と右側支持脚との間に入れれば、ホルダーを簡単に持ち上げることができることから、プレートに取ってを取り付ける必要がなく、ソケットホルダーを小型化することができるので、収納しやすくなる。
４．本発明に係るソケットホルダーにおけるレールボードは、プレートに少なくとも１本の掛止レールが設けられると共に、該掛止レールに複数の掛止ブロックを設置することができるので、使用者の需要に応じて複数のソケットを収納することができる。
【図面の簡単な説明】
【０００９】
【図１】本発明のソケットホルダーに係る第一実施例の斜視図である。
【図２】本発明のソケットホルダーに係る第一実施例の分解斜視図である。
【図３】図１における３−３線の拡大断面図である。
【図４】図１における４−４線の拡大断面図である。
【図５】本発明のソケットホルダーに係る第二実施例の斜視図である。
【図６】本発明のソケットホルダーに係る第二実施例の分解斜視図である。
【図７】図５における７−７線の拡大断面図である。
【図８】本発明のソケットホルダーに係る第三実施例の斜視図である。
【図９】本発明のソケットホルダーに係る第三実施例の分解斜視図である。
【図１０】図８における１０−１０線の拡大断面図である。
【図１１】図８における１１−１１線の拡大断面図である。
【図１２】本発明のソケットホルダーに係る第三実施例における使用状態を示す説明図である。
【図１３】本発明のソケットホルダーに係る第三実施例における他の使用状態を示す説明図である。
【図１４】本発明のソケットホルダーに係る第四実施例の斜視図である。
【図１５】本発明のソケットホルダーに係る第四実施例の分解斜視図である。
【図１６】図１４における１６−１６線の拡大断面図である。
【図１７】図１４における１７−１７線の拡大断面図である。
【発明を実施するための形態】
【００１０】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１１】
図１乃至図４に示すように、本発明に係るソケットホルダーにおける第一実施例は、レールボード１０及び支持ボード２０を有し、該レールボード１０は、アルミを押し出してなると共に、長形を呈し、プレート１１と、複数の掛止レール１２と、複数の支持レール１３とを備え、その内、プレート１１は、矩形を呈し、該複数の掛止レール１２はそれぞれ、平行に配列されると共に、長さがプレート１１の長さと一致するように、プレート１１の上面に間隔をおいて設けられ、該各掛止レール１２は、中空であり、相対する両側にそれぞれ長手方向に沿って摺動凹部１２１が凹設される。尚、本実施例におけるレールボード１０は、プレート１１の上面に３本の掛止レール１２が設けられる。
【００１２】
図３及び図４に示すように、複数の掛止部材３０が摺動可能に掛止レール１２に掛止され、これらの掛止部材３０によって、ソケットをレールボード１０に掛止して収納する。
【００１３】
前記支持レール１３は、長さがプレート１１の長さと一致するように、プレート１１の底面に間隔をおいて凹設され、かつ掛止レール１２の内部に形成されると共に、該支持レール１３の内部の対向する両側に幅Ａの保持溝部１３１が形成され、底部に保持溝部１３１と連通する幅Ｂの保持開口１３２が形成される。尚、本実施例における保持溝部１３１の幅Ａは、該保持開口１３２の幅Ｂより広い設計となっている。
【００１４】
前記支持ボード２０は、着脱可能にレールボード１０に取り付けられ、複数のブロック２１と、左側支持脚２２と、右側支持脚２５とを備え、その内、複数のブロック２１はそれぞれ正方形を呈し、プレート１１の左側及び右側に移動自在に支持レール１３の保持溝部１３１に嵌め込まれ、その中心に支持レール１３の保持開口１３２と連通するねじ孔２１１が形成される。尚、この構成によれば、前記保持溝部１３１の幅Ａが保持開口１３２の幅Ｂより広いことから、ブロック２１が支持レール１３の保持溝部１３１に嵌め込まれた後、保持開口１３２から脱落することはない。
【００１５】
前記左側支持脚２２は、プレート１１の一側底面に取り付けられると共に、方形を呈し、アルミを押し出してなり、位置決め溝部２２１と、複数の位置決め孔２２２と、複数のボルト２２３と、左側延出部２３と、左側カバー部２４とを備え、該位置決め溝部２２１は、細長状を呈し、左側支持脚２２の底面に凹設され、該位置決め孔２２２はそれぞれ、ブロック２１のねじ孔２１１と対応しながら、位置決め溝部２２１と連通するように、左側支持脚２２の上面に間隔をおいて形成され、該ボルト２２３は、位置決め溝部２２１、位置決め孔２２２、保持開口１３２を順に通って、保持溝部１３１内のブロック２１のねじ孔２１１に螺合される。この構成によれば、左側支持脚２２が、ボルト２２３を介してブロック２１に締め付けられるので、プレート１１の一側の底部にしっかりと固定することができる。
【００１６】
前記左側延出部２３は、左側支持脚２２の上部の外側に延設され、上面がプレート１１の底面と接触し、前記左側カバー部２４は、掛止レール１２及び支持レール１３をカバーするように、左側延出部２３の外側上方に延設される。この構造によれば、ブロック２１がプレート１１の一側から脱落することはない。
【００１７】
前記右側支持脚２５は、プレート１１の他側の底面に取り付けられると共に、方形を呈し、アルミを押し出してなり、、位置決め溝部２５１と、複数の位置決め孔２５２と、複数のボルト２５３と、右側延出部２６と、右側カバー部２７とを備え、その内、位置決め溝部２５１は、右側支持脚２５の底面に凹設されると共に、細長状を呈し、該位置決め孔２５２はそれぞれ、ブロック２１のねじ孔２１１と対応しながら、位置決め溝部２５１と連通するように、右側支持脚２５の上面に間隔をおいて形成され、該ボルト２５３はそれぞれ、位置決め溝部２５１、位置決め孔２５２、保持開口１３２を順に通って、保持溝部１３１内のブロック２１のねじ孔２１１に螺合される。この構成によれば、右側支持脚２５は、ボルト２５３を介してブロック２１に締め付けられるので、プレート１１の他側の底部にしっかりと固定することができる。また、左側支持脚２２及び右側支持脚２５はそれぞれ、プレート１１の相対する両側に結合される。
【００１８】
前記右側延出部２６は、右側支持脚２５の上部外側に延設され、上面がプレート１１の底面と接触し、前記右側カバー部２７は、掛止レール１２及び支持レール１３をカバーするように、右側延出部２６の外側上方に延設される。この構造によれば、ブロック２１がプレート１１の他側から脱落することはない。
【００１９】
図１乃至図４に示すように、左側支持脚２２及び右側支持脚２５はそれぞれ、プレート１１の相対する両側に結合されるので、プレート１１の強度を高めることができる。尚、支持ボード２０における左側支持脚２２と右側支持脚２５との間に更に、プレート１１の底面に当接して支持するための支持ボードを取り付ければ（図示せず）、プレート１１の強度をさらに高めることができる。
【００２０】
さらに、左側支持脚２２及び右側支持脚２５は、プレート１１の両側底面に結合されることから、プレート１１をやや上がり、プレート１１の下方における左側支持脚２２と右側支持脚２５との間にスペースが形成される。故に、本発明に係るソケットホルダーを使用する時、指をこのスペースに入れれば簡単にプレート１１を持ち上げることができることから、使いやすいと共に、ホルダーにハンドルを取り付ける必要もなく、小型化も達成できるので、収納が容易になる。
【００２１】
一方、本発明に係るソケットホルダーのレールボード１０は、アルミを押し出してなることから、掛止レール１２及び支持レール１３の両端にそれぞれバリが生じることがあるが、左側支持脚２２の左側カバー部２４及び右側支持脚２５の右側カバー部２７はそれぞれ、掛止レール１２及び支持レール１３の両端をカバーするので、バリがカバーされて怪我や事故などを防止でき、使用上の安全性も向上する。また、左側支持脚２２の左側カバー部２４及び右側支持脚２５の右側カバー部２７はそれぞれ、掛止レール１２及び支持レール１３の両側に取り付けられることから、掛止レール１２に摺動可能に掛止された掛止部材３０がレールボード１０から離脱することはない。
【００２２】
また、その左側支持脚２２及び右側支持脚２５は、場合に応じて調整することができる。その場合、まずそれらのボルト２２３及びボルト２５３を緩めて、ブロック２１を移動自在に支持レール１３の保持溝部１３１において摺動させ、左側支持脚２２及び右側支持脚２５をレールボード１０に対して適当な位置に調整し、再びボルト２２３及びボルト２５３をブロック２１に締め付ければよい。
【００２３】
図５乃至図７に示すように、本発明に係るソケットホルダーにおける第二実施例は、殆ど第一実施例と同一であるが、レールボード１０Ａが２枚のプレート１１Ａからなる点において異なる。この２枚のプレート１１Ａは、並行するように配列され、一方の内側に翼部１１１Ａが、もう一方の内側にも翼部１１２Ａが延出され、これらの翼部１１１Ａは重なるように組み合わられる。尚、第二実施例は、一方のプレート１１Ａの上面に１本の掛止レール１２Ａが設けられ、もう一方のプレート１１Ａの上面に２本の掛止レール１２Ａが設けられる。また、第二実施例における掛止レール１２Ａと支持レール１３Ａとの構造は、殆ど第一実施例と同一であるので、説明を省略する。
【００２４】
図８乃至図１１に示すように、本発明に係るソケットホルダーにおける第三実施例は、殆ど第二実施例と同一であるが、レールボード１０Ｂが５本の掛止レール１２Ｂ及び５本の支持レール１３Ｂを備える点において異なる。その内、２本の掛止レール１２Ｂは、一方のプレート１１Ｂの上面に設けられ、３本の掛止レール１２Ｂは、もう一方のプレート１１Ｂの上面に設けられ、また、左側支持脚２２Ｂの位置決め孔２２２Ｂ及びボルト２２３Ｂと、右側支持脚２５Ｂの位置決め孔２５２Ｂ及びボルト２５３Ｂはそれぞれ、掛止レール１２Ｂの本数と対応するように設置される。
【００２５】
図１２及び図１３に示すように、本発明に係るソケットホルダーにおける第三実施例においては、左側支持脚２２Ｂ及び右側支持脚２５Ｂがプレート１１Ｂの両側底面に結合されることから、プレート１１Ｂがやや上がるので、底面における左側支持脚２２Ｂと右側支持脚２５Ｂとの間にスペースが形成される。また、使用する時は、指をレールボード１０Ｂの前後方向或いは左右方向からスペースに入れればソケットホルダーを簡単に持ち上げることができる。故に、本発明のソケットホルダーは、ハンドルを取り付ける必要がなく、全ての体積がより減少し、収納に役に立つ。
【００２６】
図１４乃至図１７に示すように、本発明に係るソケットホルダーにおける第四実施例は、殆ど第一実施例と同一であるが、レールボード４０の掛止レール４２が異なる。これらの掛止レール４２は、並行するように配列され、プレート４１の上面に間隔をおいて凹設され、更に、該各掛止レール４２は、底面に幅Ｃの摺動凹部４２１が形成されると共に、上面に幅Ｄの摺動開口４２２が形成される。尚、この実施例においては、掛止レール４２の摺動凹部４２１の幅Ｃは、摺動開口４２２の幅Ｄより広い。
【００２７】
図１６及び図１７に示すように、複数の係止部材６０は、摺動可能にレールボード４０の掛止レール４２に掛止され、これらの係止部材６０によって、ソケットをレールボード４０に掛止して収納することができる。尚、本実施例によれば、摺動凹部４２１の幅Ｃが摺動開口４２２の幅Ｄより広いことから、掛止レール４２に掛止された係止部材６０が摺動凹部４２１に嵌め込まれても摺動開口４２２から離脱することはない。
【００２８】
さらに、複数の支持レール４３はそれぞれ、掛止レール４２と対応するように、プレート４１の底面に凹設され、該各支持レール４３の内部の対向する両側に幅Ｅの保持溝部４３１が形成されると共に、底面に保持溝部４３１と連通する幅Ｆの保持開口４３２が形成される。尚、この実施例では、前記保持溝部４３１の幅Ｅは、該保持開口４３２の幅Ｆより広い。
【００２９】
また、支持ボード５０は、着脱可能にレールボード４０に取り付けられ、複数のブロック５１と、左側支持脚５２と、右側支持脚５５とを備え、その内、複数のブロック５１は共に正方形を呈し、プレート４１の左側と接近するように、移動可能に支持レール４３の保持溝部４３１に嵌め込まれ、その中心に保持開口４３２と連通するねじ孔５１１が形成される。尚、本実施例によれば、前記保持溝部４３１の幅Ｅが保持開口４３２の幅Ｆより広いことから、ブロック５１が支持レール４３の保持溝部４３１に嵌め込まれても保持開口４３２から離脱することはない。
【００３０】
前記左側支持脚５２は、プレート４１の一側の底面に取り付けられ、方形を呈し、アルミを押し出してなり、位置決め溝部５２１と、複数の位置決め孔５２２と、複数のボルト５２３と、左側延出部５３と、左側カバー部５４とを備える。尚、第四実施例における左側支持脚５２は、第一実施例の左側支持脚２２と同一であるので、説明を省略する。
【００３１】
前記右側支持脚５５は、プレート４１の他側の底面に取り付けられ、方形を呈し、アルミを押し出してなり、位置決め溝部５５１と、複数の位置決め孔５５２と、複数のボルト５５３と、右側延出部５６と、右側カバー部５７とを備える。尚、第四実施例における右側支持脚５５は、第一実施例の右側支持脚２５と同一であるので、説明を省略する。
【符号の説明】
【００３２】
１０、１０Ａ        レールボード
１１、１１Ａ、４１  プレート
１１１Ａ、１１２Ａ  翼部
１２、１２Ａ、４２  掛止レール
１２１、４２１      摺動凹部
４２２              摺動開口
１３、１３Ａ        支持レール
１３１              保持溝部
１３２              保持開口
２０                支持ボード
２１                ブロック
２１１              ねじ孔
２２                左側支持脚
２２１              位置決め溝部
２２２、２５２      位置決め孔
２２３              ボルト
２３                左側延出部
２４                左側カバー部
２５                右側支持脚
２６                右側延出部
２７                右側カバー部
【図１】
2015024450.tif 000003
【図２】
2015024450.tif 000004
【図３】
2015024450.tif 000005
【図４】
2015024450.tif 000006
【図５】
2015024450.tif 000007
【図６】
2015024450.tif 000008
【図７】
2015024450.tif 000009
【図８】
2015024450.tif 000010
【図９】
2015024450.tif 000011
【図１０】
2015024450.tif 000012
【図１１】
2015024450.tif 000013
【図１２】
2015024450.tif 000014
【図１３】
2015024450.tif 000015
【図１４】
2015024450.tif 000016
【図１５】
2015024450.tif 000017
【図１６】
2015024450.tif 000018
【図１７】
2015024450.tif 000019
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
少なくとも１枚の矩形のプレートを備え、アルミを押し出してなり、長形を呈するレールボードと、
長手方向の長さが前記プレートの長手方向の長さと一致するように、該プレートの上面に間隔をおいて設けられる、ソケットを係止するための少なくとも２本の掛止レールと、
長手方向の長さが前記プレートの長手方向の長さと一致するように、該プレートの底面に間隔をおいて凹設されると共に、内部の対向する両側の間に幅Ａの保持溝が形成され、底部に該保持溝と連通するように幅Ｂの保持開口が形成され、該保持溝の幅Ａが該保持開口の幅Ｂより広い、少なくとも２本の支持レールと、
少なくとも一対がそれぞれ移動自在に前記支持レールの保持溝の両側に嵌め込まれ、中心に保持開口と連通するねじ孔が形成される複数のブロックと、
前記プレートの両側の底面にそれぞれ取り付けられると共に、上面における該ブロックのねじ孔と対応する箇所に形成される位置決め孔と、該位置決め孔を通ってブロックのねじ孔に螺合されるボルトとを含む一対の支持脚とを備え、着脱可能に前記レールボードに取り付けられる支持ボードと、を有し、
その内、前記一対の支持脚は、プレートの相対する両側に結合されると共に、底面に位置決め孔と連通する位置決め溝部が凹設される方形の左側支持脚及び右側支持脚であり、また、該左側支持脚は、上部外側に延設されると共に、上面がプレートの底面と接触する左側延出部と、掛止レール及び支持レールの一端をカバーするように、該左側延出部の外側上方に延設される左側カバー部とを備え、該右側支持脚は、上部外側に延設されると共に、上面がプレートの底面と接触する右側延出部と、前記掛止レール及び支持レールの他端をカバーするように、該右側延出部の外側上方に延設される右側カバー部とを備えることを特徴とするソケットホルダー。
【請求項２】
前記レールボードは、２枚のプレートからなり、該各プレートの内側にそれぞれ、互いに重なるように組み合わされる翼部が延出され、
また、前記各プレートの上面に少なくとも１本の掛止レールが設けられ、該掛止レールは、中空であり、相対する両側にそれぞれ長手方向に沿って摺動凹部が凹設され、
前記各プレートの底面に少なくとも１本の支持レールが凹設され、該支持レールは、プレートの底面に凹設され、かつ掛止レールの内部に形成されることを特徴とする請求項１に記載のソケットホルダー。
【請求項３】
前記レールボードは、２枚のプレートからなり、該各プレートの内側にそれぞれ、互いに重なるように組み合わされる翼部が延出され、
また、前記各プレートの上面に少なくとも１本の掛止レールが凹設され、該掛止レールは、底面に幅Ｃの摺動凹部が形成され、上面に幅Ｄの摺動開口が形成され、該掛止レールの摺動凹部の幅Ｃは、該摺動開口の幅Ｄより広く、
前記各プレートの底面に少なくとも１本の支持レールが凹設されることを特徴とする請求項１または２に記載のソケットホルダー。
【手続補正２】
【補正対象書類名】明細書
【補正対象項目名】０００５
【補正方法】変更
【補正の内容】
【０００５】
本発明に係るソケットホルダーは、少なくとも１枚の矩形のプレートを備え、アルミを押し出してなり、長形を呈するレールボードと、
長手方向の長さが前記プレートの長手方向の長さと一致するように、該プレートの上面に間隔をおいて設けられる、ソケットを係止するための少なくとも２本の掛止レールと、
長手方向の長さが前記プレートの長手方向の長さと一致するように、該プレートの底面に間隔をおいて凹設されると共に、内部の対向する両側の間に幅Ａの保持溝が形成され、底部に該保持溝と連通するように幅Ｂの保持開口が形成され、該保持溝の幅Ａが該保持開口の幅Ｂより広い、少なくとも２本の支持レールと、
少なくとも一対がそれぞれ移動自在に前記支持レールの保持溝の両側に嵌め込まれ、中心に保持開口と連通するねじ孔が形成される複数のブロックと、
前記プレートの両側の底面にそれぞれ取り付けられると共に、上面における該ブロックのねじ孔と対応する箇所に形成される位置決め孔と、該位置決め孔を通ってブロックのねじ孔に螺合されるボルトとを含む一対の支持脚とを備え、着脱可能に前記レールボードに取り付けられる支持ボードと、を有し、
その内、前記一対の支持脚は、プレートの相対する両側に結合されると共に、底面に位置決め孔と連通する位置決め溝部が凹設される方形の左側支持脚及び右側支持脚であり、また、該左側支持脚は、上部外側に延設されると共に、上面がプレートの底面と接触する左側延出部と、掛止レール及び支持レールの一端をカバーするように、該左側延出部の外側上方に延設される左側カバー部とを備え、該右側支持脚は、上部外側に延設されると共に、上面がプレートの底面と接触する右側延出部と、前記掛止レール及び支持レールの他端をカバーするように、該右側延出部の外側上方に延設される右側カバー部とを備えるものである。
【手続補正３】
【補正対象書類名】明細書
【補正対象項目名】００１１
【補正方法】変更
【補正の内容】
【００１１】
図１乃至図４に示すように、本発明に係るソケットホルダーにおける第一実施例は、レールボード１０及び支持ボード２０を有し、該レールボード１０は、アルミを押し出してなると共に、長形を呈し、プレート１１と、複数の掛止レール１２と、複数の支持レール１３とを備え、その内、プレート１１は、矩形を呈し、該複数の掛止レール１２はそれぞれ、平行に配列されると共に、長手方向の長さがプレート１１の長手方向の長さと一致するように、プレート１１の上面に間隔をおいて設けられ、該各掛止レール１２は、中空であり、相対する両側にそれぞれ長手方向に沿って摺動凹部１２１が凹設される。尚、本実施例におけるレールボード１０は、プレート１１の上面に３本の掛止レール１２が設けられる。
【手続補正４】
【補正対象書類名】明細書
【補正対象項目名】００１３
【補正方法】変更
【補正の内容】
【００１３】
前記支持レール１３は、長手方向の長さがプレート１１の長手方向の長さと一致するように、プレート１１の底面に間隔をおいて凹設され、かつ掛止レール１２の内部に形成されると共に、該支持レール１３の内部の対向する両側の間に幅Ａの保持溝部１３１が形成され、底部に保持溝部１３１と連通する幅Ｂの保持開口１３２が形成される。尚、本実施例における保持溝部１３１の幅Ａは、該保持開口１３２の幅Ｂより広い設計となっている。